(57)【要約】 【課題】  本発明は、取り外し可能な物品に適用するボルトとナットである。【解決手段】  ボルト１の端部に、基台ネジ２５ａに螺合する下ネジ２５ｂを、他端部に前記ナット１０に螺合する上ネジ１１ｂを形成し、上ネジ１１ｂのピッチを下ネジ２５ｂのピッチより長くする。【選択図】        図３
2007064258.tif 000002
【特許請求の範囲】
【請求項１】
基台と物品を固定するボルトとナットであり、
前記基台には基台ネジが形成してあり、
前記ボルトの端部に基台ネジに螺合する下ネジを、他端部に前記ナットに形成のナットネジに螺合する上ネジを形成し、
前記下ネジと上ネジのピッチを異にすることを特徴とするボルトとナット。
【請求項２】
上ネジと下ネジの向きが逆に形成してあることをことを特徴とする請求項１のボルトとナット。
【請求項３】
前記ボルトの頭にドライバー用の溝が形成してあることを特徴とする請求項１又は請求項２のボルトとナット。
【請求項４】
前記下ネジの方が上ネジに比してネジピッチが小さいことを特徴とする請求項１、請求項２又は請求項３のボルトとナット。
【発明の詳細な説明】
【技術分野】
【０００１】
本発明は、特に、取り外し可能な物品に適用するボルトとナットに関する。
【背景技術】
【０００２】
一般に、基台に物品を固定する場合において、例えば、物品をマンホール蓋を例にとって説明する。マンホール蓋は、点検に際して、蓋を基台から取り外すことが行われるが、取付けに際しては、先ず、基台に形成のネジ孔にボルトをねじ込んで立設する。そして、マンホール蓋に形成の貫通孔を前記ボルトに挿入した後に、ナットで締め付けて固定する。一方、マンホール蓋を取り外すときには、前記ナットを緩めて行う。尚、ボルトとナットは、従来より良く知られているので文献を挙げない。
【発明の開示】
【発明が解決しようとする課題】
【０００３】
前記、マンホール蓋を基台に取付けた後に、取り外すときには、前記ナットを緩める。そして、このナットを緩めるに際して、ナットが錆び付いていると、ボルトと一体になっていて、ボルトに形成のネジピッチに従って回転せねばならず、作業が困難である。
そこで、本願の発明は係る不都合を解消するボルトとナットを提供するものである。
【課題を解決するための手段】
【０００４】
請求項１のボルトとナットは、基台と物品を固定するものであり、前記基台には基台ネジが形成してある。又、ボルトの端部に基台ネジに螺合する下ネジを、他端部に前記ナットに形成のナットネジに螺合する上ネジを形成し、上ネジと下ネジのピッチを異にする。
このように、ピッチを異にすることによって、ナットを緩めるに当たって、所謂、共回りを防止でき、容易に物品の取り外しができる。
請求項２のボルトとナットは、上ネジとと下ネジの向きを逆に形成してあるので、ナットを回すに当たって、ボルトが抜けるのを防止できる。
又、請求項３のボルトとナットは、ボルトの頭にネジ回し用の溝が形成してあるので、容易に、ボルトを基台にねじ込むことができる。
請求項４のボルトとナットは、下ネジの方が上ネジに比してネジピッチが小さいので、ナットを緩めるに当たって、所謂、共回りを防止できると共に、少ない回転数でナットを緩めて、物品の取り外しができる。
【発明の効果】
【０００５】
請求項１のボルトとナットは、ナットを緩めるに当たって、所謂、共回りを防止でき、容易に物品の取り外しができる。
請求項２のボルトとナットは、下ネジと上ネジの向きを逆に形成してあるので、ナットを回すに当たって、ボルトが抜けるのを防止できる。
又、請求項３のボルトとナットは、ボルトの頭にネジ回し用の溝が形成してあるので、容易に、ボルトを基台にねじ込むことができる。
請求項４のボルトとナットは、下ネジの方が上ネジに比してネジピッチが小さいので、ナットを緩めるに当たって、所謂、共回りを防止できると共に、少ない回転数でナットを緩めて、物品の取り外しができる。
【発明を実施するための最良の形態】
【０００６】
本発明の一実施の形態を図面を参照して説明する。図１はマンホールの平面図、図２（Ａ）は図１の部分拡大図、図２（Ｂ）はマンホールのＡ〜Ａ断面図である。図３はボルトとナットの図である。
ボルト１とナット１０で、基台２２に物品（マンホール蓋）２０を固定する例として説明する。
マンホール蓋２０は、基台２２にボルト１とナット１０で固定されると共に、ナット１０を緩めてマンホール蓋２０を取り外すことができる。
【０００７】
鉄製等の基台２２は中空の円筒であり、道路等に掘られた孔にコンクリートで形成の基礎（図示略）に載置され、ボルト孔２３にアンカーボルト（図示略）を挿入して固定される。
又、基台２２の下部の内側には、前記ボルト１を固定する、水平状に形成の突起体２５が一体で形成され、その突起体２５には、後述するボルト１の下ネジ２５ｂに螺合する基台ネジ２５ａが形成してある。
又、前記ボルト１の位置に対応するマンホール蓋２０には、ボルト１を挿通可能な貫通孔２８が形成してある。
【０００８】
前記ボルト１の端部には、前記ナット１０に形成のナットネジ１１ａに螺合する、山部３ｂと谷部３ａを形成の上ネジ１１ｂが形成してある。
尚、前記下ネジ２５ｂのピッチ（Ｐ２）はＪＩＳ規格である。また、上ネジ１１ｂのネジピッチ（Ｐ１）は、前記下ネジ２５ｂに比して長く、ナット１０の回転数を少なくして緩めたり締めたりすることができる。
又、前記上ネジ１１ｂのピッチは特殊であり、ネジ山部３ｂを平滑に仕上げてある。
【０００９】
又、上ネジ１１ｂと下ネジ２５ｂの螺旋方向は、逆に形成してもよく、この場合、ナット１０を緩めるとき、共回りを防止できる。
又、前記ボルト１の頭１ａには、ネジ回し用の溝８が形成してある。この例では、マイナスドライバーのため、直線状の溝８が形成してあるが、プラスドライバー用、或は６角ネジ用の６角溝であってもよい。
【００１０】
次に、前記ボルト１とナット１０をマンホール蓋２０に使用するときの操作について説明する。
先ず、ボルト１を、突起体２５に形成の基台ネジ２５ａに、ネジ回しを溝８に挿入して、ボルト１の下ネジ２５ｂをねじ込む。
次に、マンホール蓋２０に形成の貫通孔２８を、前記立設のボルト１に挿入する。そして、ボルト１の上ネジ１１ｂをナット１０に形成のナットネジ１１ａに螺合させて締め付ける。
尚、ナット１０の上には、雨水防止をして錆び止めのために、カバー３０を掛ける。
【００１１】
次に、前記マンホール蓋２０を取り外す操作について説明する。先ず、カバー３０を取り外す。次に、ナット１０を緩めるが、ナット１０のピッチは、ＪＩＳ規格より長く形成してあり、下ネジ２５ｂのピッチより長いので、少ない回転数で緩めることができるし、上ネジ１１ｂと下ネジ２５ｂの螺旋方向が逆に形成してあると、共回りを防ぐことができる。そして、緩め終ると、マンホール蓋２０を取り外すことができる。
尚、前記はボルトとナットをマンホールに適用する例を挙げたが、他の物品に適用できることは言うまでもない。
【図面の簡単な説明】
【００１２】
【図１】マンホールの平面図である。
【図２】（Ａ）は図１の部分拡大図、（Ｂ）はマンホールのＡ〜Ａ断面図である。
【図３】ボルトとナットの詳細図である。
【符号の説明】
【００１３】
１  ボルト
８  溝
１０  ナット
１１ｂ  上ネジ
２０  マンホール蓋
２２  基台
２５  突起体
２５ｂ  下ネジ
【図１】
2007064258.tif 000003
【図２】
2007064258.tif 000004
【図３】
2007064258.tif 000005